(57)【要約】【課題】印刷された背表紙画像が見えなくなる。【解決手段】背表紙画像を印刷するための画像データを取得する画像取得部１１１と、印刷用紙の綴じ位置を取得する綴じ位置取得部１１２と、綴じ位置取得部１１２により取得された綴じ位置と背表紙画像が印刷される位置とが重なり合わないように、背表紙画像が印刷される位置を決定する位置決定部１１３と、画像データに基づいて、位置決定部１１３により決定された位置に背表紙画像を印刷させるように、小冊子印刷処理の設定を行う印刷設定部１１４とを備える。【選択図】図１
2012118862.tif 000002
【特許請求の範囲】
【請求項１】
背表紙画像が印刷された印刷媒体を重ね合わせて２つ折にして綴じられた小冊子を作製する小冊子印刷処理の設定を行う印刷設定装置であって、
前記背表紙画像を印刷するための画像データを取得する画像取得手段と、
前記印刷媒体の綴じ位置を取得する綴じ位置取得手段と、
前記綴じ位置取得手段により取得された綴じ位置と前記背表紙画像が印刷される位置とが重なり合わないように、前記背表紙画像が印刷される位置を決定する位置決定手段と、
前記位置決定手段により決定された位置に前記背表紙画像を印刷させるように、前記小冊子印刷処理の設定を行う印刷設定手段と、
を備えたことを特徴とする印刷設定装置。
【請求項２】
前記位置決定手段は、
前記背表紙画像に複数の画像が含まれる場合、前記複数の画像間の距離を同一とした
ことを特徴とする請求項１記載の印刷設定装置。
【請求項３】
前記位置決定手段は、
前記背表紙画像が文字列である場合に、前記文字列の大きさ及び文字数に基づいて、前記背表紙画像が印刷される位置を決定する
ことを特徴とする請求項１又は２記載の印刷設定装置。
【請求項４】
背表紙画像が印刷された印刷媒体を重ね合わせて２つ折にして綴じられた小冊子を作製する小冊子印刷処理の設定を印刷設定装置に行わせるための印刷設定プログラムであって、
前記背表紙画像を印刷するための画像データを取得する画像取得ステップと、
前記印刷媒体の綴じ位置を取得する綴じ位置取得ステップと、
前記綴じ位置取得ステップにより取得された綴じ位置と前記背表紙画像が印刷される位置とが重なり合わないように、前記背表紙画像が印刷される位置を決定する位置決定ステップと、
前記位置決定ステップにより決定された位置に前記背表紙画像を印刷させるように、前記小冊子印刷処理の設定を行う印刷設定ステップと、
を前記印刷設定装置に実行させるための印刷設定プログラム。
【発明の詳細な説明】
【技術分野】
【０００１】
本発明は、印刷装置に対して簡易に印刷条件を設定する印刷設定装置及び印刷設定プログラムに関する。
【背景技術】
【０００２】
一般的に、ネットワークを介して印刷装置と接続され、利用者の操作に基づいて各種印刷条件が設定された印刷設定情報を含む印刷ジョブを生成し、生成した印刷ジョブを印刷装置へ送信する印刷設定装置がよく知られている。
【０００３】
また、印刷装置には、表裏面にそれぞれ２頁づつ印刷された印刷媒体を重ね合わせて２つ折にして綴じられた小冊子を作製するための小冊子印刷処理を実行するものも良く知られている。
【０００４】
特許文献１には、小冊子印刷処理を実行する場合、背表紙に印字し、製本する製本装置が提案されている。
【先行技術文献】
【特許文献】
【０００５】
【特許文献１】特開平９−３０７２０号公報
【発明の概要】
【発明が解決しようとする課題】
【０００６】
しかしながら、特許文献１に記載された技術は、ステープルを行う場合、このステープルの位置と背表紙画像の印刷位置が重なってしまい、利用者は、印刷された背表紙画像（文字又は画像）のうち、重なった部分が見えなくなってしまうという課題があった。
【０００７】
本発明は、上記課題に鑑みてなされたものであり、印刷された背表紙画像が見えなくなってしまうことを防止して背表紙の印刷を行うように印刷装置を設定する印刷設定装置及び印刷設定プログラムを提供することを目的とする。
【課題を解決するための手段】
【０００８】
上記目的を達成するため、本発明に係る印刷設定装置の第１の特徴は、背表紙画像が印刷された印刷媒体を重ね合わせて２つ折にして綴じられた小冊子を作製する小冊子印刷処理の設定を行う印刷設定装置であって、前記背表紙画像を印刷するための画像データを取得する画像取得手段と、前記印刷媒体の綴じ位置を取得する綴じ位置取得手段と、前記綴じ位置取得手段により取得された綴じ位置と前記背表紙画像が印刷される位置とが重なり合わないように、前記背表紙画像が印刷される位置を決定する位置決定手段と、前記位置決定手段により決定された位置に前記背表紙画像を印刷させるように、前記小冊子印刷処理の設定を行う印刷設定手段と、を備えたことにある。
【０００９】
本発明に係る印刷設定装置の第２の特徴は、前記位置決定手段は、前記背表紙画像に複数の画像が含まれる場合、前記複数の画像間の距離を同一としたことにある。
【００１０】
本発明に係る印刷設定装置の第３の特徴は、前記位置決定手段は、前記背表紙画像が文字列である場合に、前記文字列の大きさ及び文字数に基づいて、前記背表紙画像が印刷される位置を決定することにある。
【００１１】
上記目的を達成するため、本発明に係る印刷設定プログラムの第１の特徴は、背表紙画像が印刷された印刷媒体を重ね合わせて２つ折にして綴じられた小冊子を作製する小冊子印刷処理の設定を印刷設定装置に行わせるための印刷設定プログラムであって、前記背表紙画像を印刷するための画像データを取得する画像取得ステップと、前記印刷媒体の綴じ位置を取得する綴じ位置取得ステップと、前記綴じ位置取得ステップにより取得された綴じ位置と前記背表紙画像が印刷される位置とが重なり合わないように、前記背表紙画像が印刷される位置を決定する位置決定ステップと、前記位置決定ステップにより決定された位置に前記背表紙画像を印刷させるように、前記小冊子印刷処理の設定を行う印刷設定ステップと、を前記印刷設定装置に実行させることにある。
【発明の効果】
【００１２】
本発明に係る印刷設定装置の第１の特徴によれば、綴じ位置取得手段により取得された綴じ位置と背表紙画像が印刷される位置とが重なり合わないように、背表紙画像が印刷される位置を決定するので、印刷された背表紙画像が見えなくなってしまうことを防止することができる。
【００１３】
本発明に係る印刷設定装置の第２の特徴によれば、背表紙画像に複数の画像が含まれる場合、複数の画像間の距離を同一としたので、バランス良く背表紙画像を印刷することができる。
【００１４】
本発明に係る印刷設定装置の第３の特徴によれば、背表紙画像が文字列である場合に、文字列の大きさ及び文字数に基づいて、背表紙画像が印刷される位置を決定するので、簡易に、背表紙画像が印刷される位置を決定することができる。
【００１５】
本発明に係る印刷設定プログラムの第１の特徴は、綴じ位置取得手段により取得された綴じ位置と背表紙画像が印刷される位置とが重なり合わないように、背表紙画像が印刷される位置を決定するので、印刷された背表紙画像が見えなくなってしまうことを防止することができる。
【図面の簡単な説明】
【００１６】
【図１】本発明の一実施形態である印刷設定装置が適用された印刷システムの構成を示した構成図である。
【図２】本発明の一実施形態である印刷設定装置が備えるハードディスクの画像間候補テーブル記憶部１３２に記憶された画像間候補テーブルの一例を示した図である。
【図３】本発明の一実施形態である印刷設定装置における処理手順を示したフローチャートである。
【図４】本発明の一実施形態である印刷設定装置に接続された表示部に表示された背表紙表示画面の一例を示した図である。
【図５】本発明の一実施形態である印刷設定装置が備える制御部の位置決定部により決定された初期位置を説明した図である。
【発明を実施するための形態】
【００１７】
以下、本発明の実施の形態を、図面を参照しながら詳細に説明する。
【００１８】
本発明の一実施形態では、背表紙画像が印刷された印刷用紙を重ね合わせて２つ折にして綴じられた小冊子を作製するための小冊子印刷処理を実行する印刷装置と接続され、この小冊子印刷処理の設定を行う印刷設定装置を例に挙げて説明する。
【００１９】
＜印刷システムの構成＞
図１は、本発明の一実施形態である印刷設定装置が適用された印刷システムの構成を示した構成図である。
【００２０】
図１に示すように、印刷システム１０は、印刷設定装置１と、印刷装置２と、表示部４と、入力部５とを備えている。
【００２１】
印刷装置２は、印刷設定装置１から供給される印刷ジョブに基づいて、例えば、インクジェットヘッドからシアン（Ｃ）、マゼンタ（Ｍ）、イエロー（Ｙ）、及びブラック（Ｋ）の合計４色のインクを吐出することにより、所定の寸法に切断された印刷媒体に対してカラー印刷を行うインクジェット方式のプリンタである。
【００２２】
表示部４は、有機ＥＬ（electroluminescence）ディスプレイや、液晶ディスプレイ等の画像出力装置を備え、印刷設定装置１から供給された出力信号に基づいて、後述する背表紙編集画面等の各種画面を表示する。
【００２３】
入力部５は、マウスやキーボード等を備えており、利用者の操作により操作信号を生成して印刷設定装置１へ供給する。
【００２４】
印刷設定装置１は、制御部１１と、メモリ１２と、ハードディスク１３と、出力インタフェース１４とを備えている。
【００２５】
メモリ１２は、揮発性半導体等で構成され、制御部１１が各種処理を実行する上で必要な各種プログラムや印刷装置２に印刷させるための印刷ショブを一時的に記憶する。
【００２６】
ハードディスク１３は、ソフトウェアとしてオペレーティングシステム（以下、ＯＳという）やアプリケーションプログラム（以下、ＡＰＰという）等が記憶されており、これらのソフトウェアは、制御部１１により読み出され適宜メモリ１２に転送される。また、ハードディスク１３は、画像データ記憶部１３１と、画像間候補テーブル記憶部１３２とを備えている。
【００２７】
画像データ記憶部１３１は、ＡＰＰが実行されることにより生成された写真や文字列等の画像データを記憶する。
【００２８】
画像間候補テーブル記憶部１３２は、背表紙画像を印刷する際の各画像間の距離を設定するための画像間候補テーブルを記憶する。
【００２９】
図２は、本発明の一実施形態である印刷設定装置が備えるハードディスク１３の画像間候補テーブル記憶部１３２に記憶された画像間候補テーブルの一例を示した図である。
【００３０】
図２に示すように、フォント２０１及びフォントサイズ２０２毎に、第１文字列間距離２０３と、第２文字列間距離２０４と、第３文字列間距離２０５と、第４文字列間距離２０６とが関連付けられて記憶されている。
【００３１】
出力インタフェース１４は、接続ケーブルを介して印刷装置２と接続するための接続インタフェースであり、制御部１１からの指示により、印刷設定情報と画像データとを含む印刷ジョブを印刷装置２へ供給する。
【００３２】
制御部１１は、印刷設定装置１の中枢的制御を行う。印刷設定装置１が起動されると、まず、制御部１１は、バイオスを実行し、その上層にてＯＳを実行する。
【００３３】
ＯＳにはハードウェアを制御するための各種のドライバ類が組み込まれ、ＯＳが実行されることにより各種ハードウェアの制御が実行される。このドライバ類には、表示部４を制御するためのディスプレイドライバや、印刷装置２を制御するためのプリンタドライバが含まれる。
【００３４】
また、制御部１１は、その機能上、画像取得部１１１と、綴じ位置取得部１１２と、位置決定部１１３と、印刷設定部１１４とを備える。
【００３５】
画像取得部１１１は、背表紙画像を印刷するための画像データを取得する。
【００３６】
綴じ位置取得部１１２は、印刷用紙の綴じ位置を取得する。
【００３７】
位置決定部１１３は、綴じ位置取得部１１２により取得された綴じ位置と背表紙画像が印刷される位置とが重なり合わないように、背表紙画像が印刷される位置を決定する。
【００３８】
印刷設定部１１４は、画像データに基づいて、位置決定部１１３により決定された位置に背表紙画像を印刷させるように、小冊子印刷処理の設定を行う。
【００３９】
＜印刷設定装置１の作用＞
次に、本発明の一実施形態である印刷設定装置１の作用について説明する。
【００４０】
図３は、本発明の一実施形態である印刷設定装置１における処理手順を示したフローチャートである。なお、図３のフローチャートに示す処理は、利用者による入力部５の操作により、印刷が要求された場合に実行され、ここでは、背表紙画像として文字列が印刷される場合について説明する。
【００４１】
図３に示すように、制御部１１の画像取得部１１１は、ハードディスク１３の画像データ記憶部１３１に記憶された背表紙画像を印刷するための画像データを取得する（ステップＳ１０１）。具体的には、制御部１１によりプリンタドライバが実行されることにより、表示部４に背表紙表示画面が表示され、利用者が、表示部４に表示された背表紙表示画面を見ながら、入力部５から背表紙の設定操作を行うと、入力部５から、背表紙設定の操作信号が制御部１１に供給される。
【００４２】
図４は、本発明の一実施形態である印刷設定装置１に接続された表示部４に表示された背表紙表示画面の一例を示した図である。
【００４３】
図４に示すように、背表紙表示画面は、適用ページを設定するための適応ページ設定領域１０１と、背表紙画像の文字の装飾を設定するための文字装飾設定領域１０２と、背表紙画像の回転角度やおおまかな印刷位置を設定するためのプリント位置設定領域１０３と、背表紙画像として印刷する文字列の候補をリスト表示する文字列一覧表示領域１０４と、この文字列一覧表示領域１０４に文字列を追加又は削除するための追加削除ボタン１０５と、背表紙印刷の設定を確定するためのＯＫボタン１０８と、キャンセルするためのキャンセルボタン１０９とを有している。
【００４４】
例えば、利用者が、表示部４に表示された背表紙表示画面を見ながら、文字列一覧表示領域１０４に表示された文字列から「要回覧」の文字列を選択する操作を行った後、ＯＫボタン１０８を押下操作すると、背表紙画像として「要回覧」の文字列が選択されたことを示す操作信号が制御部１１に供給される。
【００４５】
次に、制御部１１の綴じ位置取得部１１２は、印刷用紙の綴じ位置を取得する（ステップＳ１０３）。ここで、綴じ位置とは、印刷用紙を綴じるために穿孔されるパンチ穴の穿孔位置、又はステープルが施されるステープル位置として予め定められており、プリンタドライバに組み込まれている。
【００４６】
次に、位置決定部１１３は、背表紙画像の基準文字を決定する（ステップＳ１０５）。ここで、基準文字とは、背表紙画像を配置する上での基準となる文字である。例えば、文字列の数が奇数の場合、中心となる文字であり、｛（文字列の数＋１）／２｝番目の文字が基準文字となり、文字列の数が偶数の場合、｛（文字列の数）／２｝番目の文字と、｛（文字列の数）／２＋１｝番目の文字とが基準文字となる。
【００４７】
次に、位置決定部１１３は、画像間候補テーブル記憶部１３２に記憶された画像間候補テーブルに基づいて、背表紙画像の初期位置を決定する（ステップＳ１０７）。具体的には、位置決定部１１３は、画像間候補テーブルに基づいて、利用者操作により入力部５から入力されたフォント及びフォントサイズに対応する第１文字列間距離を抽出する。そして、位置決定部１１３は、ステップＳ１０５において決定された基準文字を、基準位置に仮配置し、天地方向に向かってそれぞれ抽出された第１文字列間距離だけ離間された位置に前後の文字を仮配置し、これを文字列数分だけ繰り返すことにより、それぞれの文字列を初期位置に仮配置する。ここで、基準位置とは、基準文字を最初に配置する位置のことであり、例えば、文字列の数が奇数の場合、印刷用紙の天地方向における中心点であり、文字列の数が偶数の場合、印刷用紙の天地方向における中心点から天地方向それぞれ第１文字列間距離／２だけ離れた位置である。
【００４８】
図５は、本発明の一実施形態である印刷設定装置１が備える制御部１１の位置決定部１１３により決定された初期位置を説明した図である。なお、図５では、Ａ３サイズの印刷用紙の場合において、背表紙画像の文字列が「要回覧」であった場合における初期位置を示している。
【００４９】
図５に示すように、Ａ３サイズの印刷用紙に「要回覧」の３文字を印刷する場合、文字列の数が奇数であるので、基準文字は、中心となる２番目｛＝（３＋１）／２｝の文字“回”となる。そこで、位置決定部１１３は、画像間候補テーブルに基づいて、利用者操作により入力部５から入力されたフォント及びフォントサイズに対応する第１文字列間距離を抽出し、決定された基準文字“回”の中心位置が基準位置と重なるように仮配置し、この配置された“回”の上端又は下端からそれぞれ天地方向に向かって第１文字列間距離だけ離間された位置に、“要”と“覧”の文字を仮配置する。
【００５０】
例えば、入力部５から入力されたフォントが“ゴシック”で、フォントサイズが“１２”である場合、第１文字列間距離は“４”（ｍｍ）であるので、位置決定部１１３は、天地方向における中心位置に“回”を仮配置し、この配置された“回”の位置から天地方向にそれぞれ“４”（ｍｍ）だけ離れた位置に、“要”と“覧”とを仮配置する。
【００５１】
なお、文字列の数が３より大きい場合、さらに天地方向に第１文字列間距離だけ離間された位置に文字を仮配置する。
【００５２】
次に、位置決定部１１３は、ステープルの位置と背表紙画像の位置が重なるか否かを判定する（ステップＳ１０９）。
【００５３】
図５に示すように、ステープルの位置は、固定位置として定められており、例えば、Ａ３サイズの印刷用紙の場合、印刷用紙の天地方向におけるステープルの位置は、印刷用紙の天地方向を９９（ｍｍ）毎に３等分する位置となるように定められている。
【００５４】
そこで、位置決定部１１３は、この予め定められたステープルの位置と、背表紙画像である「要回覧」のそれぞれの文字の位置が重なるか否かを判定する。
【００５５】
ステップＳ１０９において、ステープルの位置と背表紙画像の位置が重なると判定された場合（ＹＥＳの場合）、位置決定部１１３は、画像間候補テーブルに基づいて、次の候補の背表紙画像の印刷位置を仮決定する（ステップＳ１１１）。
【００５６】
例えば、図５に示すように、“要”と“覧”とを、第１文字列間距離だけ離れた位置に配置した場合において、ステープルの位置と背表紙画像の位置が重なっている場合、次の候補である第２文字列間距離だけ離れた位置に“要”と“覧”と仮配置する。
【００５７】
ステップＳ１０９において、ステープルの位置と背表紙画像の位置が重ならないと判定された場合（ＮＯの場合）、位置決定部１１３は、決定された背表紙画像の位置を決定する（ステップＳ１１３）。
【００５８】
次に、制御部１１の印刷設定部１１４は、位置決定部１１３により決定された位置に背表紙画像を印刷させるように、小冊子印刷処理の設定を行う（ステップＳ１１５）。具体的には、印刷設定部１１４は、小冊子印刷処理が設定された印刷設定情報と、背表紙画像データとを含む印刷ジョブを、出力インタフェース１４を介して、印刷装置２へ送信する。
【００５９】
以上のように、本発明の一実施形態である印刷設定装置１によれば、綴じ位置と背表紙画像が印刷される位置とが重なり合わないように、背表紙画像を印刷する位置を決定し、印刷装置２に印刷させるので、印刷装置２に、綴じ位置と重ならないように背表紙画像の印刷をさせることができる。これにより、背表紙に印刷された文字が見えなくなってしまうことを防止することができる。
【００６０】
また、本発明の一実施形態である印刷設定装置１によれば、画像間候補テーブルに基づいて、基準文字から天地方向にそれぞれ文字列間距離だけ離れた位置に前後の文字を配置し、これを文字列数分だけ繰り返すことにより、それぞれの文字列を配置するので、背表紙画像の文字間の距離は同一となる。これにより、バランス良く背表紙画像を印刷することができる。
【００６１】
なお、本発明の一実施形態では、背表紙画像として文字列が印刷される例について説明したが、背表紙画像は文字列に限らず、写真画像等でもよい。即ち、背表紙画像の天地方向の長さが分かれば、この長さに応じて、綴じ位置と背表紙画像が印刷される位置とが重なり合わないように、背表紙画像の印刷をさせることができる。
【００６２】
また、本発明の一実施形態では、綴じ位置として、ステープルが施されるステープル位置を取得し、ステープルが施されるステープル位置と背表紙画像が印刷される位置とが重なり合わないように、背表紙画像の印刷をさせたが、綴じ位置は、これに限らず印刷用紙を綴じるために穿孔されるパンチ穴の穿孔位置であってもよい。
【００６３】
また、本発明の一実施形態では、小冊子印刷処理を実行する印刷装置２と接続され、この小冊子印刷処理の設定を行う印刷設定装置１を例に挙げて説明したが、これに限らず、印刷装置２に適用される構成、即ち、印刷設定装置１が印刷装置２に含まれる構成としてもよい。
【００６４】
例えば、印刷装置２は、画像データを読み取る画像読み取り部を備え、画像読み取り部により背表紙画像が読み取られた場合に、綴じ位置と背表紙画像が印刷される位置とが重なり合わないように、背表紙画像を印刷する位置を決定して印刷する構成としてもよい。
【００６５】
また、本発明の一実施形態である印刷設定装置１に接続された印刷装置２は、インクジェット方式のプリンタを例に挙げて説明したが、これに限らず、レーザ方式、又は孔版印刷方式等の印刷装置であってもよい。
【符号の説明】
【００６６】
１…印刷設定装置
２…印刷装置
４…表示部
５…入力部
１０…印刷システム
１１…制御部
１２…メモリ
１３…ハードディスク
１４…出力インタフェース
１１１…画像取得部
１１２…位置取得部
１１３…位置決定部
１１４…印刷設定部
１３１…画像データ記憶部
１３２…画像間候補テーブル記憶部
【図１】
2012118862.tif 000003
【図２】
2012118862.tif 000004
【図３】
2012118862.tif 000005
【図４】
2012118862.tif 000006
【図５】
2012118862.tif 000007